(57)【特許請求の範囲】
【請求項１】
生体類の蝟集、付着、育成効果、特に魚介類の蝟集、育成効果に優れる生体誘引物質を混練してなる環境活性・保全・修復用コンクリートであり、
生体誘引物質を効果的に河川、海岸・海洋、および湖沼中に長期間に亘って徐々に流出させるために、当該コンクリート組成物中に生体誘引物質を高濃度で配合し、かつ形成された組成物が高い空気含量と生体誘引物質の誘出性を有し、かつ環境活性・保全・修復用コンクリートを形成するために十分な強度を有し、流出した生体誘引物質の「臭気」により誘引効果を高めた環境活性・保全・修復用コンクリートであって、
前記生体誘引物質が、アミノ酸から選ばれる環境活性・保全・修復用コンクリートにおいて、
前記アミノ酸はアルギニンであることを特徴とする環境活性・保全・修復用コンクリート。
【請求項２】
前記アルギニンがコンクリート組成物中に２ｗｔ％以上含有してなることを特徴とする請求項１記載の環境活性・保全・修復用コンクリート。
【請求項３】
前記アルギニンがコンクリート組成物中に３ｗｔ％以上含有してなることを特徴とする請求項２記載の環境活性・保全・修復用コンクリート。
【請求項４】
前記アルギニンがコンクリート組成物中に３ｗｔ％〜７ｗｔ％含有してなることを特徴とする請求項３記載の環境活性・保全・修復用コンクリート。
【請求項５】
少なくとも３本以上の脚体を有してなる環境活性・保全・修復用コンクリートブロックにおいて、請求項１、２、３又は４の何れか１項記載の環境活性・保全・修復用コンクリートで形成したことを特徴とする環境活性・保全・修復用コンクリートブロック。
【請求項６】
上記脚体が、該脚体の長さ方向に沿って設けられている複数本の稜線部と該稜線の間に各々設けられている平面部を有して多面柱に形成されていることを特徴とする請求項５記載の環境活性・保全・修復用コンクリートブロック。
【発明の詳細な説明】
【技術分野】
【０００１】
本発明は環境活性コンクリートに関するものであり、特に、漁港、港湾、海岸、河川等の護岸としての使用、あるは魚礁として海洋捨て込み等して使用されるコンクリート製の環境活性用ブロックにおける環境活性コンクリートに関するものである。
【背景技術】
【０００２】
従来、漁港、港湾、海岸、河川等において、外海等から来襲する波浪を遮り、静穏な水面保持を図ることを目的として、岸近くに消波ブロックを敷き並べて堤防を構築することが知られている（例えば、特許文献２参照）。
【０００３】
前記特許文献２に示される消波ブロックは、少なくとも３本以上の脚体を有してなるコンクリートブロックを使用している。
【０００４】
ところで、漁港、海岸、河川等の護岸としての使用、あるは魚礁として海洋捨て込みして使用するブロックは、生体類の蝟集・付着・育成効果、特に魚類の蝟集・育成効果に優れるものが要求されている。
【０００５】
上述の生体類の蝟集・付着・育成効果を得るために、コンクリート表面を粗化、あるいは微細構造を作ることに海藻類を付着させる（特許文献１）、コンクリートブロックの表面にアミノ酸を塗布する(特許文献２)、コンクリートブロックの製造時にアミノ酸をコンクリート中に混練する(特許文献３)、コンクリートブロックの製造時に焼酎廃液を混練する（特許文献５，６，７）ことによって、生体類の蝟集・付着・育成効果を有するコンクリートブロックが得られるは知られている。
【０００６】
このように、コンクリートブロックの表面を粗化するか、あるいは表面上に微細構造を作る手法、生物誘引物質を塗布する手法、あるいはコンクリートブロック中に生物誘引物質を混練する手法は、膨大な設備と手間を必要としないという利点がある。
【先行技術文献】
【特許文献】
【０００７】
【特許文献１】特開２００７−２１５５３２号公報
【特許文献２】特開２０００−３３６６３０号公報。
【特許文献３】特開２００８−２９５４４１号公報。
【特許文献４】特開平１０−１３５２号公報。
【特許文献５】特開２００５−３４８７１７号公報
【特許文献６】特開２００７−１８１４５７号公報
【特許文献７】特開２００９−１７１９３２号公報
【非特許文献８】「水産学シリーズ３７  魚類の化学感覚と摂餌促進物質」日本水産学会編
【発明の開示】
【発明が解決しようとする課題】
【０００８】
しかしながら、特許文献1に記載されるコンクリートブロックは生体類の付着のみを促すのみであり、育成効果は期待できず、発生した海藻類に対しての間接的な効果はあるものの、魚類の蝟集、育成効果は原理的に難しい。特許文献２に記載されるコンクリートブロックのように、表面に生物誘引物質を塗布したコンクリートブロックの構造は、生体誘引物質を環境中に流出させることにより、生体類の蝟集・付着・育成効果は期待されるが、水中に捨て込みした場合に表面が河川の流れや波によって洗われるので、生物誘引物質が直ぐに剥がれて流失し、長期間に亘って維持することができない。このため、長い期間に亘って魚介類を一箇所に集める蝟集・育成効果、及び、藻の付着・育成効果を維持できないという問題点があった。
【０００９】
一方、特許文献４に記載されるコンクリートブロックのように、生物誘引物質を混練したコンクリートブロックでは、混練した生物誘引物質がコンクリートブロックから徐々に流出することになるので、長期間に亘って生体類の蝟集・付着・育成効果を維持することができる。しかしながら特許文献４においては生物誘引のための著効物質の量が少ないために、藻類や貝類の若干の付着は見られるものの、魚類等の誘引は認められない。さらに特許文献５、６、７に記載される固形化材料は生物誘引物質を焼酎廃液としたために、当該焼酎廃液を高濃度で配合できないということ、および生体誘引物質としては有効であったとしてもコンクリートの強度を保つための阻害物質を含有してしまっているという欠点がある。
さらにこれら混練型のコンクリートブロックでは生物誘引物質が水中に流出する量が少なく、流出しないでコンクリートブロックの中に閉じ込められ、該コンクリートブロックの中にそのまま残って無駄になるのも多いという問題点があった。
【課題を解決するための手段】
【００１０】
本発明は上記課題を克服し、生物の蝟集・付着・育成効果、特に魚類の蝟集・育成効果のある環境活性コンクリートを提供することにあり、請求項１記載の発明は、生体類の蝟集、付着、育成効果、特に魚介類の蝟集、育成効果に優れる生体誘引物質を混練してなる環境活性・保全・修復用コンクリートであり、生体誘引物質を効果的に河川、海岸・海洋、および湖沼中に長期間に亘って徐々に流出させるために、当該コンクリート組成物中に生体誘引物質を高濃度で配合し、かつ形成された組成物が高い空気含量と生体誘引物質の誘出性を有し、かつ環境活性・保全・修復用コンクリートを形成するために十分な強度を有し、流出した生体誘引物質の「臭気」により誘引効果を高めた環境活性・保全・修復用コンクリートであって、前記生体誘引物質が、アミノ酸から選ばれる環境活性・保全・修復用コンクリートにおいて、前記アミノ酸はアルギニンであることを特徴とする環境活性・保全・修復用コンクリートを提供する。
【００１１】
混練形のコンクリートブロックについて、多くのコンクリート中に滞留している生体誘引物質が徐々に環境中に放出されることにより効果を発するものであるが、原理上流出量は制限され、必然的に著効性のある生体誘引物質を選び、高濃度でコンクリート中に配合する必要がある。
【００１２】
これら生体誘引物質に関しては特に制限されないが、例えばアミノ酸、アラニン、アルギニン、アスパラギン、アスパラギン酸、シスチン、システイン、グルタミン、グルタミン酸、グリシン、ヒスチジン、イソロイシン、ロイシン、リジン、メチオニン、フェニルアラニン、プロリン、セリン、スレオニン、トリプトファン、チロシン、バリン等があげられ、例えば核酸としてイノシン、グアニン、アデノシン、ウリジン、チミジン等が挙げられる。
【００１３】
これらアミノ酸、核酸については形態に制限はなく、純粋な単体でも混合物でもよく、また発酵廃液のように当該アミノ酸あるいは核酸を含有していてもよい。さらにタンパク室やペプチド、DNAやRNAなどアミノ酸や核酸を含有している高分子であってもかまわないが、後述するように当該生体誘引物質は環境への効率的な流出、形成するコンクリートの強度に影響を与えない程度で選ばれる必要がある。
【００１４】
またこれらのアミノ酸、核酸についての環境活性用ブロック組成物に対する添加量は上述したとおり、多ければ多いほど環境への流出という目的に合っているものであるが、2%以上、望ましくは3%以上添加すれば本発明の効果が発揮される。
【００１５】
さらに本発明の環境活性用ブロック組成物においてブロックを形成させるために他の添加剤を加えても問題はない。そのような添加剤としてAE剤、減水剤があげられる。
【００１６】
本発明は著効性のある生物誘引物質として塩基性アミノ酸、特にアルギニンに注目した。当該アミノ酸の魚類の効果に関して非特許文献７に記載されるとおり、魚類の味覚器に対して感受性を有している。
【００１７】
本塩基性アミノ酸を混練したコンクリート組成物は例えば特許文献３に記載されている通りであるが、これらのアミノ酸の流出について検討を行った結果、３％以上の配合で有意にアルギニンが流出していることが官能検査から明らかとなった。
【００１８】
さらに通常特許文献４から６に示されるごとく誘引物質に関しては高配合を行うとコンクリートの強度が得られず、構造体が得られないことが問題となる。
【００１９】
本発明における環境活性用ブロック組成物において、該アルギニンを高配合しても、該ブロック構造体を得るに十分な強度を得ることができ、かつ得られた構造体の比重が非配合のコンクリートに対して低いことが明らかとなった。このことはアルギニンを含有するコンクリート組成物は多孔質であることを示すものであり、水中での当該物質を容易に流出させることを意味する。
【００２０】
次に上述のコンクリート組成物の沈設実験の結果を説明する。沈設実験は海中および河川中の二ヶ所、大阪湾南部および山口県河川での実験を行った。沈設二ヶ月の観察では海中において優位にアルギニン混練コンクリートは藻類の発生が見られ、魚類が蝟集していることが観察された。また河川での沈設実験ではアルギニン混練コンクリートにおいてアユのハミ跡、及びウナギがブロック内に成育していることが確認された。
【００２２】
請求項５記載の発明は、少なくとも３本以上の脚体を有してなる環境活性・保全・修復用コンクリートブロックにおいて、請求項１、２、３又は４の何れか１項記載の環境活性・保全・修復用コンクリートで形成したことを特徴とする環境活性・保全・修復用コンクリートブロックを提供する。
【００２３】
この構成によれば、各脚体を設けて形成しているので、水と接触するコンクリートブロックの表面積が増大し、生体誘引物質がコンクリート表面から水中ににじみ出る量を多くすることができる。また、同時に多孔質のコンクリートにより形成されているので水と接触している表面積がさらに多く確保され、さらにコンクリートの内部に水も染み込みやすく、この染み込んだ水を通して内部の生体誘引物質が表面から徐々ににじみ出ることになるので、コンコリート全体から水中ににじみ出る生体誘引物質の量を多くすることができる。さらに、多数の脚体を設けて多くの表面積を確保することによってコンクリート自体の肉厚を全体的に薄くすることができることが可能になるので、生体誘引物質を効率よく環境に流出させることができる。
【００２４】
請求項６記載の発明は、上記脚体が、該脚体の長さ方向に沿って設けられている複数本の稜線部と該稜線の間に各々設けられている平面部を有して多面柱に形成されていることを特徴とする請求項５記載の環境活性・保全・修復用コンクリートブロックを提供する。
【００２５】
この構成によれば、各脚体を多面体の柱として形成されているので、水と接触するコンクリートブロックの表面積がさらに増大し、生物誘引物質がコンクリート表面から水中ににじみ出る量をさらに多くすることができる。
【発明の効果】
【００２９】
本発明は生体類の蝟集、付着、育成効果、特に魚類の蝟集、育成効果に優れた環境活性コンクリートおよび環境活性用ブロックを提供するものである。
【００３０】
そして、本発明は請求項１に記載の通り、著効性のある生体誘引物質を環境活性コンクリートに高配合することにより、当該ブロックから高効率で誘出させることができる。
【００３１】
また、本発明は請求項１記載の通り、生誘引物質としてアルギニンを高濃度に添加させることにより、コンクリートの強度を低下させることなく、多孔質のコンクリートを得ることができる。このため生体誘引物質を環境中に流出させる量を増やすことが可能となり、生物体の蝟集、付着、育成効果に優れた環境活性コンクリートを得ることができる。
【００３２】
本発明は請求項５記載の通り、水と接触しているコンクリート表面積を多く確保し、該コンクリートに混練された生体誘引物質が該コンクリート表面から適量ずつ徐々ににじみ出るようにしているので、該生体誘引物質が長期間に亘って効率良く徐々に流出し、魚介類の蝟集・育成効果、及び、藻の付着・育成の効果を長期間に亘って維持することができる。また、コンクリートブロック自体の肉厚を薄くすることが可能になり、生体誘引物資質を効率よく環境ににじみ出させることができる。
【００３３】
本発明は請求項６記載の通り、各脚体を多面体の柱として、生体誘引物質を
コンクリート表面から水中ににじみ出る量をさらに多くすることができるので、魚介類の蝟集・育成効果、及び、藻の付着・育成効果がより一層長期間に亘って得られる。
【００３４】
本発明は請求項７及び８に記載の通り、魚介類等の生体類の蝟集、付着、育成を効率よく行うことができる。
【図面の簡単な説明】
【００３５】
【図１】本発明を一実施形態として示す消波ブロックの正面図。
【図２】同上消波ブロックの背面図。
【図３】同上消波ブロックの右側面図。
【図４】同上消波ブロックの左側面図。
【図５】同上消波ブロックの平面図。
【図６】同上消波ブロックの底面図。
【発明を実施するための最良の形態】
【００３６】
本発明は、コンクリート内部に残って無駄になる生物誘引物の量を少なくし、また該生物誘引物が長期間に亘って徐々に流出し、長期間に亘って魚介類の蝟集・育成効果、及び藻の付着・育成効果が維持できる構造とするという目的を達成するために、少なくとも３本以上の脚体を有してなる環境活性用ブロックにおいて、生物誘引物質を混練してなる多孔質のコンクリートで形成したことにより実現した。
【００３７】
以下、本発明の環境活性コンクリートおよび環境活性用ブロックについて、好適な実施例を添付図面を参照して説明する。
【００３８】
図１〜図６は本発明を適用した環境活性用ブロックを示すもので、消波ブロックを一例としている。同図において、消波ブロック１は、同一形状をした４個の脚体２ａ，２ｂ，２ｃ，２ｄを有するコンクリートブロックであり、例えば型枠(図示せず)にコンクリートを流し込んで一体的に成形される。また、成形時、各脚体２ａ，２ｂ，２ｃ，２ｄは、その各基端部３ａ，３ａ，３ａ，３ａを互いに結合させるとともに、各脚体２ａ，２ｂ，２ｃ，２ｄの軸線４，４，４，４を該消波ブロック１の中心Ｏ(重心)に合致させて、該４個の脚体２ａ，２ｂ，２ｃ，２ｄが中心Ｏから略１２０°間隔で放射状に延設された状態にして形成される。
【００３９】
なお、ここでの成形処理では、例えば砂利、セメント、水からなる基準混練物(以下、「生コンクリート」という)を混練する時に、生物誘引物質としてアミノ酸、核酸に代表される生体誘引物質が該生コンクリート内に該生コンクリート全体比で3％から7％またはそれ以上添加され、該生体誘引物質が混練された生コンクリートを前記型枠に流し込んで固化させ、所定の形状に成形する。
【００４０】
前述したようにアミノ酸、核酸に代表される生体誘引物質が混練された生コンクリートでは、特に選ばれたアミノ酸、核酸において、該生コンクリートが固まるまでの少しの間、生コンクリートの粘り気を緩くする。これにより該生コンクリートが型枠の隅々まで入り易くなり、成形を容易にする。一方、固まった後はコンクリート表面及び内部に多孔状の透きが形成されて多孔質のコンクリートとなり、水に触れる表面積が多くなり、かつ、水の浸透を容易にし、コンクリート全体から当該生体誘引物質が環境中に流出しやすくする。
【００４１】
さらに本発明のコンクリートを用い、消波ブロック１の表面積を多く設けた形状にすると生体誘引物質の流出をさらに多くすることができる。
【００４２】
そこで、本実施例においては、消波ブロック１の表面積をさらに増やすことができるようにするために、前記４個の脚体２ａ，２ｂ，２ｃ，２ｄを、該脚体２ａ，２ｂ，２ｃ，２ｄの長さ方向に沿って設けられている６本の稜線部２２,２２…と該稜線部２２,２２…の間に各々設けられている平面部２３,２３…を有するようにして、横断面が正六角形をした六面柱として形成している。また、各脚体２ａ，２ｂ，２ｃ，２ｄは、横断面の面積が基端部３ａ側から先端部３ｂに向かって徐々に小さくなる先細りをした六角錐状に形成するとともに、先端部３ｂの端面２４もカットして平坦面に形成している。
【００４３】
さらに、４個の脚体２ａ，２ｂ，２ｃ，２ｄのうちの、３個の前記脚体(図１の場合では脚体２ａ，２ｂ，２ｃ)の基端部３ａ，３ａ，３ａが各々集合されている４つの各部位はそれぞれ略水平面を成し、該水平面の中央部位にはそれぞれ凹陥部５，５，５，５を設けている。該各凹陥部５，５，５，５は、不連続に離間して形成された３個の第１凹陥部５ａ，５ａ，５ａと該３個の第１凹陥部５ａ，５ａ，５ａで囲まれた内側部位に設けられた１個の第２凹陥部５ｂとからなる。
【００４４】
そして、前記第１凹陥部５ａ，５ａ，５ａは、３個の前記脚体(図１の場合では脚体２ａ，２ｂ，２ｃ)のうち、相互に隣接している脚体間(図１の場合では脚体２ａと２ｂ、２ｂと２ｃ、２ｃと２ａ)に形成されている。なお、各第１凹陥部５ａ，５ａ，５ａにそれぞれ設けられている切り欠き部６,６,６は、第１凹陥部５ａ，５ａ，５ａ内に入り込んだ水を外部に排出し易くする。
【００４５】
他方、前記第２凹陥部５ｂは、３個の第１凹陥部５ａ，５ａ，５ａで囲まれた内側部位に、前記第１凹陥部５ａの内方に段設部を設けた状態にして、平面視角形に形成されている。また、第２凹陥部５ｂの底面８には、図示しない微小な縞状の凹凸が形成してある。
【００４６】
このように構成された消波ブロック１は、漁港、海岸、河川等の岸近くの水中及び堤防に並べて配置され、魚礁や消波堤を構築する。なお、魚礁及び消波堤の構築においては、消波ブロック１は一段配列とは限らず、数段とすることもある。
【００４７】
そして、水中に設置された消波ブロック１は、水と接触しているコンクリート表面積が多く確保されているので、該コンクリートに混練された生物誘引物質が該コンクリート表面から適量ずつ徐々に時間を掛けてにじみ出るようにしているので、長期間に亘って魚介類の蝟集・育成効果、及び、藻の付着・育成の効果を維持する。
【００４８】
また、消波堤として使用された場合は、凹陥部５が波の衝撃を緩和する。この際、第１凹陥部(上段)５ａ，５ａ，５ａはブロック１の外面近くに設けられているので水が溜まりにくいが、第２凹陥部（下段）５ｂは第１凹陥部５ａ，５ａ，５ａよりも奥まった内側に設けられているので水が溜まり易く、該第２凹陥部５ｂに海藻等の胞子が捕捉されて藻や魚介類等の多様な生息環境を形成する。さらに、底面８には縞状の微小の凹凸面を設けているので、該微小の凹凸面が藻類及びアワビ等の貝類の付着をし易くする。
【実施例】
【００４９】
（アルギニン添加したコンクリートの強度試験）
本発明における環境活性用コンクリートの強度を試験するため、表１に示すような組成に調整し、Φ12.5×25の枠に詰めたのち、28日間養生した。得られた試供体の強度試験を実施した。
【００５０】
【表１】
0005388874.tif 000002
【００５１】
※1：対セメント重量に対する添加率、※2：呼び強度
その結果アルギニンを対セメント重量に対して７％添加してもそのコンクリートの圧縮強度を低下させないことが明らかになった。
【００５２】
（アルギニンを添加したコンクリートの密度および臭気の官能評価試験）
次に表２に示すような組成で試供体を調製し、Φ12.5×25の枠に詰めたのち、7日間養生した。得られた試供体の密度を調べた。結果を表２に示す
【００５３】
【表２】
0005388874.tif 000003
【００５４】
※1：対セメント重量に対する添加率
その結果アルギニンを添加したものはコンクリート密度の値が小さく、また空気量、スランプ値が高い傾向にあることがわかる。このことからアルギニンを添加したコンクリートは多孔質の構造を持つことがわかる。
次に比較例２、実施例３、４、及び５の試供体について官能評価を実施した。評価はパネラー7名により、試供体より発生する臭気を表３に基づき、評価を行った。結果を表４に示す。
【００５５】
【表３】
0005388874.tif 000004
【００５６】
【表４】
0005388874.tif 000005
【００５７】
表４が示すとおり、アルギニン添加量３％以上を添加した試供体で有意にアルギニンの臭気が認められた。
（河川での沈設実験）
比較例２、実施例５の組成によるブロックを調整し、山口県河川での沈設実験を行った。当河川において主として鮎の繁殖状況を確認し、ブロック表面の藻類の繁殖状況と鮎の食み跡を目視にて観測した。
その結果を表５に示す。
【００５８】
【表５】
0005388874.tif 000006
【００５９】
*:古い食み跡と推測
その結果アルギニンを添加したブロックにおいて、鮎のはみ跡、藻類の生育状況で有意に鮎の誘引効果が認められた。
【００６０】
（海中での沈設実験）
比較例２、実施例５の組成によるコンクリートブロックを製作し、大阪湾南部の港湾部に沈設し、主として藻類の繁殖状況を目視で観測した。沈設一ヶ月目で主としてアオサ属の藻類が表面に生息し、実施例５組成のコンクリートブロックに有意に藻類の生息が確認された。その結果を表６に示す。
【００６１】
【表６】
0005388874.tif 000007
【００６２】
さらに特筆すべき事例として、実施例５組成のコンクリートブロックにおいて、ブロック周辺に多くのメジナが蝟集していることが観測された。
【００６３】
なお、本発明は、本発明の精神を逸脱しない限り種々の改変を為すことができ、そして、本発明が該改変されたものに及ぶことは当然である。
【産業上の利用可能性】
【００６４】
以上説明したように、本発明は消波ブロックに適用した場合について説明したが、消波ブロックに限ることなく、一般的なコンクリートブロックにも応用できる。
【符号の説明】
【００６５】
１      消波ブロック
２ａ，２ｂ，２ｃ，２ｄ      脚体
３ａ    基端部
３ｂ    先端部
４      軸線
５      凹陥部
５ａ    第１凹陥部
５ｂ    第２凹陥部
６      切り欠き部
８      底面
１０    消波ブロック
１１    貯留部
１２    管状連結部
２２    稜線部
２３    平面部
２４    端面
Ｏ      中心(重心)
【図１】
0005388874.tif 000008
【図２】
0005388874.tif 000009
【図３】
0005388874.tif 000010
【図４】
0005388874.tif 000011
【図５】
0005388874.tif 000012
【図６】
0005388874.tif 000013